(57)【要約】  概して、大きな遅延広がり配置のシナリオ（例えば、大きなセルサイズ又は低い周波数帯域で動作するセルラーシステム）に関する。システム実装を単純にするべく、無線フレームを等しいサイズの（又は、等しくないサイズの）複数のサブフレームに分割する段階を備える方法を紹介する。その他の実施形態についても、開示及び特許請求される。【選択図】図１
2013510467.tif 000002
【特許請求の範囲】
【請求項１】
システム標準規格に従って規定される複数のフレームの各々を、複数のサブフレームに分割する段階と、
予め指定されるダウンリンク送信の間に、前記複数のサブフレームのうちの１つを送信する段階と、
予め指定されるアップリンク送信の間に、前記複数のサブフレームのうちの１つを送信する段階と
を備え、
サイクリックプリフィックス（ＣＰ）は、有用な符号長の４分の１である方法。
【請求項２】
前記分割されたフレームは、実装並びにソフトウェア及びハードウェア処理を簡易にするべく等しいサイズの複数のサブフレームを含む、又は、等しくないサイズの複数のサブフレームを含み、１フレーム当りのサブフレームの数及び１サブフレーム当りのＯＦＤＭ符号の数は、ＯＦＤＭヌメロロジー及び１フレーム当りの利用可能なＯＦＤＭ符号の数によって決定される請求項１に記載の方法。
【請求項３】
前記複数のサブフレームの各々を、情報を搬送する複数の符号に分割する段階を更に備える請求項１に記載の方法。
【請求項４】
前記情報を搬送する複数の符号は、複数の直交周波数分割多重符号を含む請求項３に記載の方法。
【請求項５】
前記複数の直交周波数分割多重符号の個数は、ほぼ６に等しい請求項４に記載の方法。
【請求項６】
予め指定されるダウンリンク送信及びアップリンク送信の間のサブフレームを、実質的に異なる期間に送信するのに、時分割複信モードを使用する段階を更に備える請求項１に記載の方法。
【請求項７】
実質的に異なる周波数上で、複数のサブフレームにおける信号を送信するのに、周波数分割複信モードを使用する段階を更に備える請求項１に記載の方法。
【請求項８】
システム標準規格に従って規定される複数のフレームの各々を、複数のサブフレームに分割する段階と、
予め指定されるダウンリンク送信（ＤＬ：ＢＳ−＞ＭＳ／ＲＳ）の間のサブフレーム及び予め指定されるアップリンク送信（ＵＬ：ＭＳ／ＲＳ−＞ＢＳ）の間のサブフレームを送信することを含む非中継送信のために、前記複数のサブフレームのうちの１以上を送信する段階と、
予め指定されるダウンリンク送信（ＤＬ：ＲＳ−＞ＭＳ）の間のサブフレーム及び予め指定されるアップリンク送信（ＵＬ：ＭＳ−＞ＲＳ）の間のサブフレームを送信することを含む中継送信のために、前記複数のサブフレームのうちの１以上を送信する段階と
を備え、
サイクリックプリフィックス（ＣＰ）は、有用な符号長の４分の１である方法。
【請求項９】
２ホップ中継送信をサポートする段階を更に供える請求項８に記載の方法。
【請求項１０】
最適化されたレイテンシを有する２ホップ中継をサポートする段階を更に供える請求項９に記載の方法。
【請求項１１】
偶数番目のホップゾーンを、予め指定されるダウンリンク送信（ＤＬ：ＢＳ−＞ＭＳ、ＢＳ−＞奇数のＲＳ、偶数のＲＳ−＞奇数のＲＳ）の間及び予め指定されるアップリンク送信（ＵＬ：ＭＳ−＞ＢＳ、奇数のＲＳ−＞ＢＳ、奇数のＲＳ−＞偶数のＲＳ）の間に複数のゾーンに分割し、奇数番目のホップゾーンを、予め指定されるダウンリンク送信（ＤＬ：奇数のＲＳ−＞偶数のＲＳ、奇数のＲＳ−＞ＭＳ）の間及び予め指定されるアップリンク送信（ＵＬ：ＭＳ−＞奇数のＲＳ、偶数のＲＳ−＞奇数のＲＳ）の間に複数のゾーンに分割することにより、複数のフレームの各々を更に分割する段階を備える請求項８に記載の方法。
【請求項１２】
マルチホップ中継送信を使用して送信する段階を更に備える請求項１１に記載の方法。
【請求項１３】
前記ＲＳが、プリアンブル、ブロードキャストチャネル及び制御チャネルを送信しない、透過型中継を使用する段階を更に備える請求項８に記載の方法。
【請求項１４】
前記ＲＳが、プリアンブル、ブロードキャストチャネル及び制御チャネルを送信する、非透過型中継を使用する段階を更に備える請求項８に記載の方法。
【請求項１５】
システム標準規格に従って規定された複数のフレームの各々を、複数のサブフレームへと分割するプロセッサと、
予め指定されるダウンリンク送信の間に前記複数のサブフレームのうちの１つを送信し、予め指定されるアップリンク送信の間に前記複数のサブフレームのうちの１つを送信する送信機と
を備え、
サイクリックプリフィックス（ＣＰ）は、有用な符号長の４分の１であるシステム。
【請求項１６】
前記プロセッサは、所定の目標値を下回るターンアラウンドタイムを達成するように選択される長さを有するように、前記複数のサブフレームを分割する請求項１５に記載のシステム。
【請求項１７】
前記プロセッサは、前記複数のサブフレームの各々を、情報を搬送する複数の符号に分割する請求項１５に記載のシステム。
【請求項１８】
前記情報を搬送する複数の符号は、直交周波数分割多重符号を含む請求項１７に記載のシステム。
【請求項１９】
前記送信機は、時分割複信モードを使用して、実質的に異なる期間に送信を行う請求項１５に記載のシステム。
【請求項２０】
前記送信機は、周波数分割複信モードを使用して、実質的に異なる周波数で送信を行う請求項１５に記載のシステム。
【発明の詳細な説明】
【背景技術】
【０００１】
例えば、２００７年１０月１２日出願の発明者Sassan Ahmadi及びHujun Yin、米国特許出願第１１／９０７，８０８号明細書（参照によりその内容は本明細書に組み込まれる）に記載されるような直交周波数分割多元接続（ＯＦＤＭＡ）ベースのセルラー無線インターフェースでは、大きなセルサイズ及び／又は低い周波数帯域における無線信号の伝播は、大きな遅延広がりにつながり、その結果、受信信号における符号間干渉（ＩＳＩ）が生じる可能性がある。ＯＦＤＭベースのシステムでは、ＩＳＩの効果は、ＯＦＤＭ符号の最初に付加されるサイクリックプレフィックスによって低減される。遅延広がりが大きくなればなるほど、ＩＳＩの効果を緩和するのに使用されるサイクリックプレフィックスが長くなる。
【０００２】
発明と見なされる特徴は、本明細書に添付の特許請求の範囲に特に記載される。しかしながら、発明は、構成及びオペレーションの方法として、本発明の目的、特徴及び利点と共に、添付の図面を参照して以下に記す詳細な説明を参照することにより、良好に理解されるであろう。
【図面の簡単な説明】
【０００３】
【図１】本発明の一実施形態に係る無線ネットワークの概略図である。
【図２】本発明の一実施形態に係る無線ネットワークにおいて使用される装置を概略的に示した図である。
【図３】本発明の一実施形態に係るフレーム構造を概略的に示した図である。
【図４】本発明の一実施形態に係るスーパーフレーム構造を概略的に示した図である。
【図５】本発明の一実施形態に係るスーパーフレーム構造を概略的に示した図である。
【図６】本発明の一実施形態に係るスーパーフレーム構造を概略的に示した図である。
【図６Ａ】本発明の一実施形態に係るスーパーフレーム構造を概略的に示した図である。
【図６Ｂ】本発明の一実施形態に係るスーパーフレーム構造を概略的に示した図である。
【図７】本発明の一実施形態に係る、レガシープリアンブルで多重化された新規のプリアンブルを有するスーパーフレーム構造を概略的に示した図である。
【図８】本発明の一実施形態に係る、レガシープリアンブルで多重化された追加プリアンブルを有するスーパーフレーム構造を概略的に示した図であり、新しいプリアンブルがレガシー端末によって隠されている状態を示した図である。
【図９】本発明の一実施形態に係る、時間及び／又は周波数ドメインで区分されるフレーム構造を概略的に示した図である。
【図１０】本発明の一実施形態に係る、ＦＤＤデュプレックスモードにおけるフレーム構造を概略的に示した図である。
【図１１】本発明の一実施形態に係る、フレーム構造を概略的に示した図である。
【図１２】本発明の一実施形態に係る、フレーム構造を概略的に示した図である。
【図１３】本発明の一実施形態に係る、フレーム構造を概略的に示した図である。
【図１４】本発明の一実施形態に係る、ＯＦＤＭＡパラメータの表である。
【図１５】本発明の一実施形態に係る方法のフローチャートである。
【発明を実施するための形態】
【０００４】
図示の単純化及び明瞭化のために、図示された要素は必ずしも実寸法で描かれていない。例えば、いくつかの要素の寸法は、明瞭化のために他の要素に比べて拡大して描かれている場合がある。更に、適切であると考えられる場合、対応する又は類似する要素を示すのに参照番号が図面間で繰り返し使用されている。また、図に描かれたブロックの一部は、１つの機能として組み合わせられてもよい。
【０００５】
以下の詳細な説明では、本発明を理解するために多くの詳細事項が記される。しかしながら、これら詳細事項がなくとも本発明を実施可能であることは、当業者にとって明らかである。また、本発明を不明瞭にしない目的から、周知の方法、手順、構成要素及び回路等の詳細な説明を省略している。
【０００６】
特にそうでないと記載されない限り、以下の説明で明らかなように、明細書中で使用されている言葉、例えば、「処理する（processing）」、「演算する（computing）」、「計算する（calculating）」、「決定する（determining）」等の言葉の使用は、コンピュータ、コンピュータシステム又は同様な電子演算装置のアクション及び／又はプロセスを指し、そのコンピュータのレジスタ及び／又はメモリ内の物理量に表される、例えば、電子的な量に表されるデータを、そのコンピュータのレジスタ及び／又はメモリ内又はその他の情報記憶装置、送信装置又は表示装置内における同様に物理量で表される他のデータへと、操作する及び／又は変換することを意味する。また、本明細書で使用されている「複数の」という言葉は、構成要素、装置、要素、パラメータ等が２個以上であることを意味する。
【０００７】
以下の詳細な説明では、本発明の様々な実施形態が、直交周波数分割多重（ＯＦＤＭ）変調を利用した無線ネットワークに関して説明されるが、本発明の実施形態はこれに限定されず、例えば、その他の好適な変調及び符号化方式を使用して実装されてもよい。また、本明細書では、無線メトロポリタンエリアネットワーク（ＷＭＡＮ）に関して実施形態例が記載されるが、本発明はこれに限定されず、同様な利点を得ることができると考えられるその他の種類の無線ネットワークにも適用可能である。このようなネットワークの例としては、これに限定するわけではないが、無線ローカルエリアネットワーク（ＷＬＡＮ）、無線パーソナルエリアネットワーク（ＷＰＡＮ）、及び／又は、無線ワイドエリアネットワーク（ＷＷＡＮ）が含まれる。
【０００８】
以下に記載する本発明の実施形態は、無線システムの送信機及び受信機を含む様々なアプリケーションにおいて使用されるが、本発明は、この点に関して限定されない。本発明の範囲内に無線システムとしては、これに限定されないが、例えば、ネットワークインターフェースカード（ＮＩＣ）、ネットワークアダプタ、移動局、基地局、アクセスポイント（ＡＰ）、ゲートウェイ、ブリッジ、ハブ及び携帯無線電話が含まれる。更に、本発明の範囲内に含まれる無線システムとしては、携帯無線電話システム、衛星システム、パーソナルコミュニケーションシステム（ＰＣＳ）、双方向無線システム、双方向ページャ、パーソナルコンピュータ（ＰＣ）及びその周辺機器、パーソナルデジタルアシスタント（ＰＤＡ）、パーソナルコンピュータアクセサリ、並びに、本質的に本発明に関連し、本発明の実施形態の原理を好適に適用可能な既存の及び将来開発されるシステムの全てが含まれる。
【０００９】
図１には、本発明の一実施形態に係る無線ネットワーク１００が概略的に示されている。無線ネットワーク１００は、プロバイダネットワーク（ＰＮ）１２０、基地局（ＢＳ）１１８、及び、例えば、移動又は固定加入者局である１以上の加入者局又はその他の局１１０、１１２、１１４及び／又は１１６を含んでもよい。ある実施形態では、例えば、ＷＬＡＮにおける基地局１１８は、アクセスポイント（ＡＰ）、端末及び／又はノードと称される場合があり、また、加入者局１１０、１１２、１１４及び／又は１１６は、局（ＳＴＡ）、端末及び／又はノードと称される場合がある。本明細書全体にわたって使用されている、基地局及び加入者局という言葉は、単なる一例に過ぎず、これらの言葉の表記によって、本発明の実施形態を、特定の種類のネットワーク又はプロトコルに限定することを意図していない。
【００１０】
無線ネットワーク１００は、加入者局１１０、１１２、１１４及び／又は１１６とＰＮ１２０との間の無線アクセスを提供する。例えば、無線ネットワーク１００は、電気電子技術者境界（ＩＥＥＥ）８０２．１１（登録商標）規格（"無線ＬＡＮ媒体アクセス制御（ＭＡＣ）及び物理層（ＰＨＹ）のためのＩＥＥＥ規格、仕様書１９９９年版"、２００３年６月１２日再承認）、例えば、ＩＥＥＥ８０２．１１ａ（登録商標）−１９９９、ＩＥＥＥ ８０２．１１ｂ（登録商標）−１９９９／Ｃｏｒ１−２００１、ＩＥＥＥ ８０２．１１ｇ（登録商標）−２００３及びＩＥＥＥ ８０２．１１ｎ（登録商標）に規定されるような１以上のプロトコルを使用するように構成されてもよい。または、ＩＥＥＥ８０２．１６（登録商標）規格（"ローカル及びメトロポリタンエリアネットワークのためのＩＥＥＥ規格−パート１６：固定ブロードバンド無線アクセスシステムのための無線インターフェース"２００４年１０月１日）、例えば、本明細書では、"ＩＥＥＥ規格８０２．１６−２００９"又は"ＷｉＭＡＸ"規格と称される、ＩＥＥＥ ８０２．１６−２００４／Ｃｏｒ１−２００５又はＩＥＥＥ規格８０２．１６−２００９に規定されるような１以上のプロトコルを使用するように構成されてもよい。これに加えて／若しくは、ＩＥＥＥ８０２．１５．１（登録商標）規格（"ローカル及びメトロポリタンエリアネットワークのためのＩＥＥＥ規格−具体的仕様パート１５．１：無線パーソナルエリアネットワーク（ＷＰＡＮｓＴＭ）のための無線媒体アクセス制御（ＭＡＣ）及び物理層（ＰＨＹ）規格"２００５年６月１４日）に規定されるような１以上のプロトコルを使用するように構成されてもよいが、本発明はこの点に関して限定されず、その他の規格を使用してもよい。ある実施形態では、無線ネットワーク１００及びその構成要素の属性、互換性及び／又は機能性は、例えば、ＩＥＥＥ８０２．１６規格（例えば、worldwide interoperability for microwave access（ＷｉＭＡＸ）と称されてもよい）に従って規定されてもよい。これに替えて又は加えて、無線ネットワーク１００は、第３世代パートナーシッププロジェクト（３ＧＰＰ）ロングタームエボリューション（ＬＴＥ）セルラーネットワークに準拠するデバイス及び／又はプロトコル、又は、ＷＰＡＮ又はＷＷＡＮのためのあらゆるプロトコルを使用してもよい。
【００１１】
本発明の実施形態は、モバイルＷｉＭＡＸシステムの次世代（例えば、ＩＥＥＥ８０２．１６ｍ規格に基づく）において、大きなセルサイズ又は低い周波数帯及び／又は"マルチホップ"中継オペレーションで使用される、実質的に高いモビリティ及び低いレイテンシを有するアプリケーション、例えば、ボイスオーバーインターネットプロトコル（ＶｏＩＰ）及び無線を介したインタラクティブゲームを、効率的にサポートすることを可能にすると同時に、後方互換性を有するオペレーション及び標準規格（例えば、ＩＥＥＥ規格８０２．１６−２００９に基づくレガシーモバイルＷｉＭＡＸシステム）との一体化を可能にすると考えられる。
【００１２】
ある実施形態では、基地局１１８は、加入者局１１０、１１２、１１４及び／又は１１６間、及び、加入者局１１０、１１２、１１４及び／又は１１６とプロバイダネットワーク１２０との間の無線通信を管理及び／又は制御してもよい。そして、加入者局１１０、１１２、１１４及び／又は１１６は、プライベート又は公共ローカルエリアネットワーク（ＬＡＮ）を介して、その他デバイス（図示せず）の様々なサービス接続を無線ネットワーク１００へと提供してもよい。
【００１３】
図２には、本発明の一実施形態に係る無線ネットワークで使用される装置１３０が概略的に示されている。例えば、装置１３０は、無線通信ネットワーク（例えば、図１で説明された無線ネットワーク１００）において、その他の端末、デバイス又はノードと通信を行うための、端末、デバイス又はノード（例えば、図１に示される加入者局１１０、１１２、１１４及び／又は１１６、基地局１１８及び／又はプロバイダネットワーク１２０）であってもよい。装置１３０は、本発明の１以上の実施形態で記載されるように、誤りフレーム検出率を決定する及び／又はフレーム検出の感度を調整する（例えば、物理的な回路、プロセッサ及びソフトウェア、又は、これらの組み合わせを含む）ロジックを有するコントローラ又は処理回路１５０を含んでもよい。ある実施形態では、装置１３０は、無線周波数（ＲＦ）インターフェース１４０及び／又は媒体アクセス制御（ＭＡＣ）／ベースバンドプロセッサ回路１５０を含んでもよい。
【００１４】
一実施形態において、ＲＦインターフェース１４０は、１つのキャリア又は複数キャリアの変調信号（例えば、相補型符号変調（ＣＣＫ）符号及び／又は直交周波数分割多重（ＯＦＤＭ）符号を含む）を送信するのに採用される構成要素又は構成要素の組み合わせを備えてもよく、本発明の実施形態は、特定の無線インターフェース又は変調スキームに限定されない。ＲＦインターフェース１４０は、例えば、受信機１４２、送信機１４４及び／又は周波数合成器１４６を含んでもよい。インターフェース１４０は、バイアス制御、水晶発振器及び／又は１以上のアンテナ１４８及び／又は１４９を含んでもよい。別の実施形態では、ＲＦインターフェース１４０は、外付けの電圧制御発振器（ＶＣＯ）、弾性表面波フィルタ、中間周波数（ＩＦ）フィルタ及び／又はＲＦフィルタ等を、必要に応じて使用してもよい。ＲＦインターフェースの設計については、様々な可能性があり、これらについての説明は省略する。
【００１５】
処理回路１５０は、送受信信号を処理するＲＦインターフェース１４０と通信を行ってもよく、例えば、受信信号をダウンコンバートするアナログ／デジタルコンバータ１５２、送信信号をアップコンバートするデジタル／アナログコンバータ１５４を含んでもよい。更に、プロセッサ回路１５０は、受信／送信信号をそれぞれ処理するＰＨＹリンク層に対するベースバンド又は物理層（ＰＨＹ）処理回路１５６を含んでもよい。処理回路１５０は、例えば、媒体アクセス制御（ＭＡＣ）／データリンク層処理のための処理回路１５９を含んでもよい。処理回路１５０は、処理回路１５９及び／又は基地局管理エンティティ１６０と、例えば、インターフェース１５５を介して通信を行うためのメモリコントローラ１５８を含んでもよい。
【００１６】
本発明のある実施形態では、ＰＨＹ処理回路１５６は、フレーム構築及び／又は検出モジュールを、バッファメモリのような付加回路と組み合わせて含んでもよく、このようなモジュールにより、上記の実施形態において記載されたようにスーパーフレームを構築及び／又は分解してもよい。これに替えて又は加えて、ＭＡＣ処理回路１５９は、これらの機能の一定部分の処理を共有してもよいし、ＰＨＹ処理回路１５６とは独立してこれらの処理を実行してもよい。ある実施形態では、ＭＡＣ及びＰＨＹ処理は、必要に応じて、１つの回路に集約してもよい。
【００１７】
装置１３０は、例えば、基地局、アクセスポイント、加入者局、デバイス、端末、ノード、ハイブリッド調整器、無線ルータ、ＮＩＣ及び／又はコンピュータデバイスのためのネットワークアダプタ、移動局、又は、以下に説明する本発明の方法、プロトコル及び／又はアーキテクチャを実装するのに好適なその他のデバイスであってもよい。したがって、以下に記載される装置１３０の機能及び／又は具体的な構成は、必要に応じて、装置１３０の様々な実施形態に含まれる場合もあるし、省略される場合もある。ある実施形態では、装置１３０は、ＷＬＡＮ、ＷＰＡＮ及び／又はブロードバンドネットワークのためのＩＥＥＥ８０２．１１、８０２．１５及び／又は８０２．１６規格の１以上と関連付けられるプロトコル及び周波数に準拠するように構成されていてもよいが、実施形態はこの点に関して限定されない。
【００１８】
装置１３０の実施形態は、単入力単出力（ＳＩＳＯ）アーキテクチャを使用して実装されてもよい。しかしながら、図２に示すように、ある実装形態では、ビーム形成又は空間分割多元接続（ＳＤＭＡ）のための適応アンテナ技術を使用して及び／又は複数入力複数出力（ＭＩＭＯ）通信技術を使用して、送受信するための複数のアンテナ（例えば、１４８及び１４９）を含んでもよい。
【００１９】
局１３０の構成要素及び特徴は、個別の回路、特定用途向け集積回路（ＡＳＩＣ）、論理ゲート及び／又はシングルチップアーキテクチャのあらゆる組み合わせを使用して実装されてもよい。更に、装置１３０の特徴は、マイクロコントローラ、プログラマブルロジックアレイ及び／又はマイクロプロセッサ、又は、好適であると考えられる上記構成の組み合わせを使用し実装されてもよい。ここで本明細書では、ハードウェア、ファームウェア及び／又はソフトウェア要素は、総称として又は個別に、"ロジック"又は"回路"と称される場合がある。
【００２０】
図２のブロック図に示される装置１３０の例は、多くの実装形態例のうちの１つを機能的に描いたに過ぎないことは理解されるべきである。したがって、添付の図面に描かれるブロック機能の省略及び包含関係は、ハードウェア構成要素、回路、ソフトウェア及び／又はこれらの機能を実装するための要素が、本発明の実施形態において、必ずしも分割、省略又は含まれることを意味しているわけではない。
【００２１】
図３には、本発明の一実施形態に係るフレーム３００の構造が概略的に示されている。フレーム３００（例えば、無線フレーム）は、例えば、無線ネットワーク１００における送信通信情報及び／又は受信通信情報の一部であってもよい。ある実施形態では、フレーム３００は、大きな通信信号又はストリームの周期的に繰り返されるセグメント構造を表していてもよい。ある実施形態では、繰り返しフレーム３００は、例えば、実質的に別個の送信間で異なる情報を含んでもよい。フレーム３００は、例えば、ＩＥＥＥ規格８０２．１６−２００９又はモバイルＷｉＭＡＸプロファイルに準拠するブロードバンド無線アクセス技術を含む又は規定されていてもよい。モバイルＷｉＭＡＸプロファイルによれば、フレーム３００の継続期間又は送信時間間隔（ＴＴＩ）は、例えば、約５ミリ秒である。例えば、２、２．５、４、８、１０、１２及び２０ミリ秒といったその他のフレーム又は無線フレームサイズを、ＩＥＥＥ規格８０２．１６−２００９規格に規定されるように使用してもよい。
【００２２】
ある実施形態では、フレーム３００は、例えば、時分割複信（ＴＤＤ）モード又は方式に従って、送信及び／又は受信されてもよい。本発明の実施形態に従って、その他の時間及び／又は周波数スキーム（例えば、周波数分割複信（ＦＤＤ）モード又は方式）を使用してもよい。
【００２３】
フレーム３００は、整数の個数のＯＦＤＭ符号又はその他の多重化符号を含んでもよい。１フレーム当りのＯＦＤＭ符号の数は、例えば、ＯＦＤＭヌメロロジー（numerology）の選択肢（例えば、サブキャリア間隔、サイクリックプレフィックス長、サンプリング周波数等）に従って決定されてもよい。ある実施形態では、ＯＦＤＭヌメロロジーは、例えば、帯域幅及びサンプリング周波数（例えば、又は、モバイルＷｉＭＡＸプロファイルに従ったオーバーサンプリング係数）に基づいて、決定、設定又は取得されてもよい。様々な実施形態において、実質的に異なるＯＦＤＭヌメロロジーを使用してもよく、この場合、フレーム３００内に実質的に異なる数のＯＦＤＭ符号が存在することになる。
【００２４】
ある実施形態では、フレーム３００は、アイドル符号及び／又はアイドルタイムスロットを含んでもよい。一実施形態において、フレーム３００は、例えば、ＴＤＤデュプレックスモード又は方式が使用される場合には、所定のダウンリンク（ＤＬ）送信３０６と所定のアップリンク（ＵＬ）送信３０８との間の切り替えを行うための、１以上のスイッチング期間３０２及び／又は３０４を含んでもよい。その他の実施形態では、例えば、ＦＤＤデュプレックス方式が使用される場合には、ＤＬ送信３０６とＵＬ送信３０８とが、実質的に同時に又は時間的に重複して（例えば、異なる周波数又はネットワークチャネルで）送信されることから、フレーム３００は、実質的に、アイドル符号、アイドル時間スロット及び／又は切り替え期間３０２及び／又は３０４を全く含まない又はほとんど含まなくてもよい。
【００２５】
ある実施形態では、ＴＴＩ又はフレーム３００の時間的長さは、例えば、約５ミリ秒である。ラウンドトリップタイム（ＲＴＴ）（往復遅延時間）（例えば、特定の無線ノードへの、連続する２つの予めスケジュールされたＤＬ送信３０６の間の時間間隔）は、例えば、約１０ｍｓである。急速に変化するチャネル状態及び／又は小さな可干渉時間（例えば、車両の速度が、例えば、時速約１２０ｋｍ（ｋｍ／ｈ）を超えるような自動車といった、高速で移動する移動局又はノード）を有する無線ネットワーク（例えば、無線ネットワーク１００）は、変化するチャネル状態にある高速移動性をサポートするメカニズムを使用してもよい。本発明の実施形態は、実質的に小さなラウンドトリップタイムを有する無線ネットワーク１００をサポートし、例えば、実質的に高速で変化するチャネル状態の移動局１１０、１１２、１１４及び／又は１１６及び基地局１１８間でのフィードバックを可能とする。その他の時間間隔を使用してもよい。
【００２６】
現在のＩＥＥＥ８０２．１６−２００９規格の標準フレーム構造では、例えば、将来の無線アクセス技術で使用されるであろう実質的に高速のフィードバック及び低いアクセスレイテンシ（例えば、１０ｍｓ未満）をサポートするのに適さない長いＴＴＩを使用しているといったように、制約が含まれる場合がある。
【００２７】
本発明の実施形態は、例えば、ＩＥＥＥ規格８０２．１６−２００９規格のフレーム構造との後方互換性を維持すると同時に、レイテンシが低いオペレーションをサポートするフレーム３００構造の改良バージョンを含む又は使用してもよい。フレーム３００構造は、例えば、次世代の（例えば、ＩＥＥＥ８０２．１６ｍ規格を含む）モバイルＷｉＭＡＸシステム及びデバイスにおいて使用されてもよい。ある実施形態では、フレーム３００の構造又は部分は、レガシー端末（例えば、モバイルＷｉＭＡＸプロファイル及びＩＥＥＥ規格８０２．１６−２００９に従って動作する端末）に対してトランスパレントであってもよく、ＩＥＥＥ８０２．１６ｍ規格に基づいて共に動作するＢＳ、移動局及び／又はＭＳとの間の通信に対してのみ使用されてもよい。
【００２８】
本発明の実施形態によれば、新規のフレーム構造（例えば、図３から図１５を参照して説明される構造）を使用して通信を行う無線ネットワーク１００及びその構成要素は、レガシーフレーム構造（例えば、モバイルＷｉＭＡＸプロファイルに従って及びＩＥＥＥ規格８０２．１６−２００９に基づいて記載されるフレーム構造）を使用して通信を行う場合がある標準ネットワーク（reference network）に対して、後方互換性を有してもよい。ある実施形態では、後方互換性とは、例えば、レガシー端末（例えば、レガシー及び／又は参照フレーム構造を使用して通信を行う端末）が、レガシーネットワークに関連する端末の性能及び動作に大きな影響を与えずに、無線ネットワークで動作可能なことを含む。ある実施形態では、新規の（例えば、非レガシー）フレーム構造を使用する新規の（例えば、非レガシー）端末又は加入者局は、レガシーネットワークに関連する端末の性能及び動作に大きな影響を与えずに、無線ネットワークで動作可能であってもよい。例えば、新規の端末は、"後方互換性"を有してもよい。ある実施形態では、無線ネットワーク１００は、例えば、実質的に同時に、レガシー端末及び新規端末（例えば、非レガシー端末）の両方（例えば、新規フレームとレガシーフレームとが同じフレームにおいて重複する時分割多重化）をサポートしてもよい。ある実施形態では、無線ネットワーク１００は、シームレス通信、モビリティ及びレガシー端末と新規端末との間のハンドオフを可能としてもよい。本明細書で使用されている、"新規の（new）"、"発展型の（evolved）"又は"最新の（updated）"及び"次世代の（next generation）"等の言葉は、単純に"古い（old）"、"レガシーの（legacy）"又は"現在の（current）"等の言葉との相対的な表現に過ぎない。例えば、"新規の"規格とは、本願出願日に使用されている規格であってもよく、また、"レガシー"システムは、本願出願日以前及び出願日以降の一定期間の両方において使用されているシステムのことであってもよい。また、"新規（new）"システムは、"レガシー"システムの後に開発又は実装され、通常改善及び更新を含むシステムである。"新規の"、"発展型の"、"最新の"システムは、"古い"、"レガシー"又は以前のシステム又は規格において利用可能なように、後方互換性を有する。
【００２９】
本発明の実施形態によれば、新規のフレーム構造は、例えば、システム取得の改善及び／又は低い信号干渉雑音比（ＳＩＮＲ）におけるセル選択の改善によって、ＩＥＥＥ規格８０２．１６−２００９の能力を拡張させる新規の同期及びブロードキャストチャネルを含んでもよい。ＩＥＥＥ規格８０２．１６−２００９によれば、ブロードキャストチャネル（例えば、及び、ＤＬチャネル記述子及びＵＬチャネル記述子）は、典型的には、フレームの予め定められたロケーションには位置せず、移動局は、システム設定情報を取得するのに共通制御チャネル（例えば、ＭＡＰ）をデコードしなければならない。
【００３０】
本発明の実施形態によれば、新規のフレーム構造は、例えば、整数の個数の無線フレームを含むスーパーフレームを含んでもよく、整数の個数の無線フレームは、システム設定情報のような同期及び／又はブロードキャスト情報及び／又はメッセージを含んでもよく、これにより、無線ネットワーク１００のオペレーションを単純化することができ、更に、無線ネットワーク１００のオーバーヘッド及び取得レイテンシを低減させることができると考えられる。
【００３１】
図４には、本発明の一実施形態に係るスーパーフレーム４００構造が概略的に示されている。ある実施形態では、端末又はノード間の送信は、例えば、１以上のスーパーフレーム４００を含む。スーパーフレーム４００は、固定された個数及び／又は所定の個数のフレーム４１０を含んでもよい、又は、これらのフレームに分割されてもよい。別の実施形態では、２つ以上のスーパーフレーム４００の各々におけるフレーム４１０の個数は、異なっていてもよい。スーパーフレーム４００内のフレーム４１０の個数Ｍは（例えば、Ｍは整数値、Ｍ＝２、３、４、・・・）、設計パラメータであってもよいし、標準規格において規定されている数であってもよく、例えば、特定のプロファイル及び配置に対して固定されている数であってもよい。ある実施形態では、スーパーフレーム４００内のフレーム４１０の個数は、これに限定するわけではないが、例えば、目標のシステム取得時間、２つの連続するプリアンブル間（例えば、同期チャネル）の許容される最大間隔、プリアンブルの検出のためのシステム取得の間に平均化されるプリアンブルの最小数、及び／又は、２つの連続するブロードキャストチャネル（例えば、システム設定情報又はページングチャネル）の間の許容される最大間隔を含む１以上の因子によって決定されてもよい。
【００３２】
一実施形態において、各スーパーフレーム４００は、２つ以上の（例えば、４つ）フレーム４１０を含んでもよい、又は、２つ以上のフレーム４１０に分割されてもよい。その他の数の区分化、分割又はフレームを使用してもよい。各フレーム４１０の長さは、例えば、ＩＥＥＥ規格８０２．１６−２００９に準拠するシステムとの後方互換性を確立するべく、例えば、約５ミリ秒であってもよい。その他のフレーム長又は無線フレーム長を使用してもよい。フレーム４１０をそれぞれ、２つ以上（例えば、８個）のサブフレーム４２０へと、更に区分化又は再分割してもよい。その他の数の分割を使用してもよい。サブフレーム４２０の長さは、新たな規格に準拠する端末のＴＴＩを決定してもよく、例えば、スーパーフレーム４００及びフレーム４１０構造を組み込んでもよい。各ＴＴＩの開始及び終了は、例えば、サブフレーム境界と実質的に並ぶ又は同期されていてもよい。ＴＴＩの各々は、整数の個数のサブフレーム（例えば、典型的には１つ又は２つのサブフレーム）を含んでもよい。サブフレーム４２０はそれぞれ、固定数のＯＦＤＭ符号４３０に分割されてもよい、又は、固定数のＯＦＤＭ符号を含んでもよい。一実施形態において、サブフレーム４２０の各々は、例えば、６個のＯＦＤＭ符号に分割されてもよい又は６個のＯＦＤＭ符号を含んでもよく、この場合、サブフレーム内のＯＦＤＭ符号４３０の数（例えば、サブフレーム４２０の長さ）は、例えば、ＩＥＥＥ規格８０２．１６−２００９に規定される様々なパーミュテーションスキーム（permutation scheme）に対応したリソースブロックサイズ（例えば、サブチャネル）に準拠していてもよい。
【００３３】
別の実施形態では、スーパーフレーム４００、フレーム４１０、サブフレーム４２０及び／又はＯＦＤＭ符号４３０のその他の又は代替の数、長さ、サイズ及び／又はバリエーションが存在してもよい。ここで使用されている数は、例示を目的として提示されているに過ぎない。別の実施形態では、フレーム４１０の長さ（例えば、約５ミリ秒）及びＯＦＤＭ符号４３０の数（例えば、６個）は、ＩＥＥＥ規格８０２．１６−２００９に準拠するシステム、デバイス及び／又は伝送との後方互換性を確立するように設定されてもよい。
【００３４】
例えば、現在の規格の仕様に従って規定されているパーミュテーションスキームは、例えば、信号及び／又はリソースブロックを送信するための１個から６個の間のスロットを含んでもよい。物理的なリソースブロックの境界は、例えば、サブフレームの境界と合わせられてもよい。ある実施形態では、物理リソースブロックの各々は、１つのサブフレーム４２０内に実質的に含まれていてもよい。別の実施形態では、物理リソースブロックの各々は、実質的に、連続する２つのサブフレーム内に含まれていてもよい。
【００３５】
例えば、スーパーフレーム４００構造を含む本発明の実施形態は、ＴＤＤ及びＦＤＤデュプレックス方式又はモードの何れかを使用して適用してもよいことは、当業者であれば理解できる。ＦＤＤデュプレックスモードでは、ＤＬ送信及びＵＬ送信はそれぞれ、例えば、同時にそれぞれの周波数又はチャネル上で通信される。ＴＤＤデュプレックスモードでは、ＤＬ及びＵＬ送信は、実質的に同じ周波数又はチャネル上で、実質的に重複しない間隔（例えば、時分割多重（ＴＤＭ）方式に従って）で通信されてもよい。ＴＤＤデュプレックスモードのオペレーション及び何れのフレーム４１０においても、サブフレーム４２０は、各配置における静的なＤＬ送信及びＵＬ送信（例えば、ＤＬ送信３０６及びＵＬ送信３０８）に対して構成されていてもよい。ＤＬ送信及びＵＬ送信は、ＤＬ送信とＵＬ送信（例えば、スイッチング期間３０２及び／又は３０４）とを切り替えるためのアイドル時間及び／又はアイドル符号によって区分されていてもよい。
【００３６】
本発明の一実施形態において、"レガシーゾーン"及び"新規ゾーン"は、例えば、それぞれレガシー端末のみ又は新規端末のみと通信するように特に設計されたＤＬ送信又はＵＬ送信の期間、部分又はゾーンを含んでもよい。ＩＥＥＥ規格８０２．１６−２００９のＴＤＤデュプレックスモードでは、ＤＬ送信３０６及びＵＬ送信３０８はそれぞれ更に、２つ以上のパーミュテーションゾーンに分割されてもよい。ある実施形態では、フレーム４１０において隣接する複数のＯＦＤＭ又はその他の符号４３０を、例えば、パーミュテーションゾーン（例えば、図３に示されるパーミュテーションゾーン３１０）と称する場合がある。パーミュテーションゾーンは、例えば、実質的に同じパーミュテーション（permutation）（例えば、サブキャリアの分散割り当てに対する部分的に使用されるチャネル（ＰＵＳＣ）、サブキャリアの局所割り当てのための適応変調符号化（ＡＭＣ）等）を使用する複数の連続するＯＦＤＭ符号（例えば、図３に示されるＤＬ送信３０６及びＵＬ送信３０８内の符号）を含んでもよい。
【００３７】
本発明の一実施形態によれば、フレームは、複数のレガシーゾーン及び新規ゾーン（その他の名称を使用してもよい）を含んでもよい、又は、これらに分割されてもよい。一実施形態において、レガシー端末及び新規端末はそれぞれ、レガシーゾーン及び新規ゾーンを使用して通信を行ってもよい。ある実施形態では、新規端末は、レガシーゾー及び新規ゾーンの両方を使用して通信を行ってもよい。レガシー端末は、典型的には、レガシーゾーンのみを使用して通信を行う。一実施形態において、フレーム内のＤＬ送信の各々は更に、例えば、ＤＬ送信レガシーゾーン及びＤＬ送信新規（例えば、非レガシー）ゾーンを含む２つ以上のゾーンに分割されてもよく、ＵＬ送信の各々は更に、例えば、ＵＬ送信レガシーゾーン及びＵＬ送信新規（例えば、非レガシー）ゾーンを含む２つ以上のゾーンに分割されてもよい。
【００３８】
本発明の実施形態は、フレームのサブフレームへの分割を提供してもよい（例えば、送信ブロック又はゾーンの境界を、サブフレーム境界と同期させてもよい）。ＩＥＥＥ規格８０２．１６−２００９によれば、送信ブロック又はゾーンの境界は、フレーム境界内のＯＦＤＭ符号何れかにおいて、開始又は終了してもよい。本発明の実施形態によれば、新規ゾーンは、新規の又はより効率的なリソ−ス割り当て及びフィードバックメカニズムを使用してもよい。１フレーム内のＯＦＤＭ符号の全数は、ＯＦＤＭヌメロロジーに応じて変化してもよい。レガシーモバイルＷｉＭＡＸシステムとの後方互換性を維持するために、ＩＥＥＥ８０２．１６ｍシステム及びレガシーモバイルＷｉＭＡＸシステムに対して、同じフレームサイズ及び同じＯＦＤＭＡヌメロロジー（例えば、又はＯＦＤＭＡパラメータ）を使用してもよい。例えば、８０２．１６ｅ−２００５規格によって規定される全ての許容されるヌメロロジー及び／又はフレームサイズを本発明の実施形態に従って使用してもよいことは当業者であれば理解できる。
【００３９】
本発明の実施形態は、ＩＥＥＥ規格８０２．１６−２００９及び／又はその他の規格のようなレガシー規格と互換性を有するスーパーフレーム構造を提供してもよい。例えば、スーパーフレーム構造は、モバイルＷｉＭＡＸプロファイルに規定されるような特徴のサブセットを含む又は特徴のサブセットに適合してもよい（例えば、及び、モバイルＷｉＭＡＸプロファイルと後方互換性を有してもよい）。
【００４０】
本発明の実施形態は、例えば、１以上のレガシー同期チャネル（例えば、ＩＥＥＥ規格８０２．１６−２００９プリアンブル）、新規同期チャネル（例えば、ＩＥＥＥ８０２．１６ｍプリアンブル）、各フレーム又は整数個数のフレームに対応する新規及びレガシーゾーンにおけるブロードキャストチャネル（ＢＣＨ）、媒体アクセスプロトコル（ＭＡＰ）又は共通制御チャネル（ＣＣＣＨ）を含む複数のフレームに分割されてもよい。
【００４１】
図５には、本発明の一実施形態に係るスーパーフレーム５００構造が概略的に示されている。一実施形態において、スーパーフレーム５００は、例えば、プライマリ同期チャネル（ＰＳＣＨ）と称されてもよいレガシープリアンブル５０２を含んでもよい。ある実施形態では、スーパーフレーム５００は、例えば、新規端末のためのシステムタイミング取得及びセル選択を改善するために、更なる又は追加のプリアンブル５０４を含んでもよい。追加プリアンブル５０４は、例えば、セカンダリ同期チャネル（ＳＳＣＨ）と称されてもよく。同期チャネルは、例えば、フレームタイミングを取得するため及び／又はスケジューリングのために、基地局及び移動局によって解読及び／又は使用されてもよいシーケンスを含んでもよい。
【００４２】
ある実施形態では、新規プリアンブル５０４は有効に又は部分的に、レガシー端末にとってトランスパレント、読み出し不可能又は検出不可能であってもよく、また、レガシープリアンブル５０２は、レガシー端末及び新規端末の両方が検出可能であってもよい。ある実施形態では、スーパーフレーム５００は、ブロードキャストチャネル（ＢＣＨ）５０６を含んでもよい。ブロードキャストチャネルは、例えば、システム構成情報、ページング及び／又はその他のブロードキャスト種類情報等の情報を含んでもよく、ネットワーク及び／又は周辺エリアにおける全ての移動局に対して基地局からこのような情報が送信されてもよい。
【００４３】
図５に示すように、追加の又は新規のプリアンブル５０４（例えば、ＳＳＣＨ）は、新規ゾーン又はレガシーゾーンにおける固定された位置に配置されてもよい。本発明の一実施形態において、例えば、新規プリアンブル５０４は、例えば、"ＳＳＣＨ＿ＯＦＦＳＥＴ"と称される固定されたオフセットに位置していてもよい。ＳＳＣＨ＿ＯＦＦＳＥＴは、例えば、各フレームにおいて、レガシープリアンブルの位置と比較した新規プリアンブル５０４の位置を表す値であってもよい。ある実施形態では、モバイルＷｉＭＡＸシステムにおけるレガシープリアンブルは、（図９に示すように）各フレームの最初のＯＦＤＭ符号に位置していてもよい。ＳＳＣＨ＿ＯＦＦＳＥＴの値は、システム設定情報の一部として含まれる又はブロードキャストされてもよい。ある実施形態では、移動局が新規プリアンブル５０４を検出した場合、ＳＳＣＨ＿ＯＦＦＳＥＴを使用してフレームの開始点を特定してもよい。一実施形態において、ＳＳＣＨ＿ＯＦＦＳＥＴ＝０である場合、レガシープリアンブル５０２が存在せず、ネットワークがレガシー端末をサポートしていないことを示してもよい。ある実施形態では、新規同期チャネル及びブロードキャストチャネルは、最小システム帯域幅（ＢＷ）にわたってもよい。ある実施形態では、レガシー同期チャネルは典型的には、図９の例に示すように、システムＢＷ全体にわたってもよい。新規プリアンブル５０４の通信を行う（例えば、複数のサブキャリアを介して）ための予め指定された領域は、例えば、レガシー端末にはトランスパレントであってもよい及び／又はレガシー端末は無視してもよい。ダウンリンク基地局又は端末送信に対するスケジューラは典型的には、新規プリアンブル５０４の通信に予め指定された領域には、ユーザー／システムトラフィック／制御／信号を割り当てない。
【００４４】
本発明の別の実施形態では、例えば、新規プリアンブル５０４は、新規フレームの始まりに位置していてもよく、新規フレームは、レガシーフレームに対して固定されたオフセットで位置している。一実施形態において、固定オフセットは、例えば、"FRAME_OFFSET"と称されてもよく、フレームタイミングにおいて固定されていてもよい。ある実施形態では、FRAME_OFFSETの値は、ネットワークオペレータ又はアドミニストレータによって設定されてもよい（例えば、そして、ブロードキャストされない）。新規モバイル端末は、新規プリアンブル５０４を検出してもよく、それにより、新規フレームの開始、及び、例えば、新規フレームの開始に関する（例えば、図６に示すような）その他の情報チャネルを示してもよい。例えば、ＢＣＨ５０６のタイミング又は周期性は、実質的に、スーパーフレーム５００送信のタイミング又は周期性と位置合わせされていてもよい。
【００４５】
様々な実施形態において、例えば、スーパーフレーム５００におけるレガシープリアンブル５０２及び／又は新規プリアンブル５０４の相対的な位置に基づいて、及び／又はフレーム構造のその他の特徴又は設計事項（ＤＬ走査レイテンシ、物理層オーバーヘッド及びその他の情報）に応じて、スーパーフレーム５００は、実質的に異なる構造を有してもよい。例えば、スーパーフレーム５００の構造に対してオプションＩ、ＩＩ及びＩＩＩを含む３つのオプションが以下で説明されるが、本発明の実施形態にその他の構造及び変形例を使用してもよいことは、当業者に明らかである。
【００４６】
以下の説明では、個別に又は総称してオプションＩと称される実施形態が含まれる。以下で提示されるオプションＩ及びその他のオプションは例に過ぎず、これに限定するものではない。
【００４７】
ある実施形態では、新規プリアンブル５０４及び／又はＢＣＨ５０６は、各スーパーフレーム５００の始まりに実質的に位置してもよく、例えば、通信ストリームにおける各スーパーフレーム５００の最初のフレームに位置してもよい。このような実施形態において、レガシープリアンブル５０２及び新規プリアンブル５０４は、（例えば、スーパーフレーム５００の長さ方向に沿って間隔を空けて、又は、オフセットを有して）別々に位置していてもよい。このような実施形態において、レガシー端末（例えば、典型的にはレガシープリアンブル５０２のみ検出する端末）及びシステム取得のようなレガシー端末のオペレーションに対する、新規プリアンブル５０４の影響又は可視性は最小限に抑えられる。新規プリアンブル５０４は、例えば、実質的に各フレーム毎といったように、あらゆる所望の頻度で、周期的に繰り返されてもよい。ＢＣＨ５０６は、システム設定情報、ページングチャネル、及び／又は、その他のブロードキャスト情報を含んでもよい。ある実施形態では、ＢＣＨ５０６は、スーパーフレーム５００の間隔と同期されてもよく、整数個のスーパーフレーム毎に存在してもよい。ある実施形態では、新規端末は、システムタイミング取得及び高速セル選択を改善させるべく、新規プリアンブル５０４を（例えば、専用で又は付加的に）使用してもよい。例えば、新規プリアンブル５０４は、セルＩＤ情報又はコードを含んでもよく、新規端末によるフレームタイミング取得に使用されてもよい。例えば、セルＩＤコードは、連結基地局グループＩＤ、基地局ＩＤコード、セクタＩＤコード、及び／又は、セルＩＤの検出（例えば、構築された検索を実行する）その他のコード又は情報を含んでもよい。
【００４８】
オプションＩを参照して説明される本発明の実施形態によれば、新規プリアンブル５０４はレガシープリアンブル５０２から間を空けて位置しているので、レガシー端末によって新規プリアンブル５０４が検出される可能性を最低限にしている。ある実施形態では、新規プリアンブル５０４を送信するためのＯＦＤＭ符号を使用することにより増加する物理層のオーバーヘッド（レイヤ１オーバーヘッド）を最小にするために、例えば、限られた（例えば、最小限の）バンド幅又は時間で、又は、例えば、図９に示すようにユーザートラフィックをスケジュールするための同じＯＦＤＭ符号に対応する更なるサブキャリアを使用して、新規プリアンブル５０４を送信してもよい。
【００４９】
以下の説明では、個別に又は総称してオプションＩＩと称される実施形態が含まれる。
【００５０】
図６には、本発明の一実施形態に係るスーパーフレーム６００構造が概略的に示されている。ＴＤＤデュプレックスモードの幾つかの実施形態において、スーパーフレーム６００は、例えば、予め指定されるレガシー期間、間隔又はゾーン、及び、新規又は非レガシー期間、間隔又はゾーンを有する４つのフレームに分割されてもよい。一実施形態において、レガシーフレーム６１０は更に、例えば、ＤＬ送信レガシーゾーン６１２及びＵＬ送信レガシーゾーン６１６を含むサブフレームに分割されてもよい。新規フレーム６２０は、レガシーフレームの始まりを基準として固定されたオフセット（例えば、FRAME_OFFSET）で開始してもよい。FRAME_OFFSETの値は、整数個のサブフレームであってもよいし、ＤＬ送信のＵＬ送信に対する長さ又は時間の比に基づいて（例えば、ＴＤＤ複信モードにおいて）、決定されてもよい。例えば、FRAME_OFFSET＝Ｔオフセットである場合、Ｔサブフレームは、サブフレームの長さであり、Ｔｆはフレームの長さである。Ｔオフセットの最小及び最大許容値は、次のようにして求められる。
Ｔオフセット＜αＴｆ
０≦α≦１：ＤＬに割り当てられたフレームの割合
例：ＤＬ：ＵＬが５：３の場合、α＝０．６２５
ｎＴサブフレーム≦αＴｆ−Ｔオフセット  １≦ｎ＜７
Ｔオフセット＝ｍＴサブフレーム  ０≦ｍ≦（ＤＬサブフレームの数）−ｎ
【００５１】
ある実施形態では、レガシー端末は、レガシーフレーム６１０を使用して通信を行ってもよく、新規端末は、新規フレーム６２０及び／又はレガシーフレーム６１０を使用して通信を行ってもよい。
【００５２】
本発明の実施形態によれば、例えば、オプションＩＩＩにおいて、新規フレーム６２０の開始及びレガシーフレーム６１０の開始は、例えば、フレームオフセット６２２といった固定値、又は、オフセット間隔（例えば、固定された時間の長さの期間及び／又は固定された数のサブフレーム）の分、オフセットされてもよい。
【００５３】
ＴＤＤデュプレックスモードにおける、本発明の一実施形態に係る新規フレーム６２０とレガシーフレーム６１０との相対的な位置は、図６に例示されている。例えば、ＴＤＤデュプレックスモードでは、レガシーフレーム６１０の構造は、ＤＬ送信６１２で開始し、ＵＬ送信６１６で終了する。例えば、新規フレーム６１０構造は、ＤＬ送信６１４で開始し、ＵＬ送信６１８が続き、ＤＬ送信６１４で終了する。
【００５４】
ある実施形態では、新規フレーム６１０の各々は、例えば、フレーム６１０の開始又は始まりにおけるサブフレームに、新規プリアンブル（例えば、ＳＳＣＨ）を含んでもよい。別の実施形態では、スーパーフレーム６００の各々は、例えば、スーパーフレーム６００の開始又は始まりにおけるサブフレームに、スーパーフレームヘッダ（ＳＦＨ）６２４を含んでもよい。例えば、ＳＦＨ６２４は、新規プリアンブル及びブロードキャストチャネルを含んでもよい。
【００５５】
例えば、Ｋ及び６−Ｋ、ここでＫ＝１，２，…，６は、新規プリアンブル及びブロードキャストチャネルにそれぞれ割り当てられるＯＦＤＭ符号の数を表していてもよい。新規プリアンブル及びブロードキャストチャネルにそれぞれ割り当てられるＯＦＤＭ符号の数は、１つのチャネルにつき１個のＯＦＤＭ符号といったように少ない数であってもよい。一実施形態において、ＳＦＨ６２４サブフレームにおいて利用可能な残りのＯＦＤＭ符号は、例えば、ユーザートラフィック、制御、及び／又はシステムのレイヤ１のオーバーヘッドを最小にするための制御情報、信号情報に割り当てられてもよい。
【００５６】
ＳＦＨ６２４は、新規プリアンブルシーケンス及びブロードキャスト情報（例えば、システム設定情報及びページングチャネルを含む情報）を含んでもよい。ある実施形態では、レガシーフレーム及び新規フレームは、ネットワークオペレータによって設定可能な固定されたフレームオフセット６２２を有してもよい。
【００５７】
本発明のある実施形態では、レガシーゾーン及び新規ゾーンは、固定された数のサブフレーム分、オフセットされてもよい。オフセット値は、現実的な配置内において、実質的に安定している又は固定されていてもよい。実際には、ネットワークフレームは動的な性質を有することから、あるフレームでは、レガシーゾーンが使用中となると同時に新規ゾーンが完全にロードされる、又は、レガシーゾーンが完全にロードされると同時に新規ゾーンが使用中となる場合がある。ある実施形態では、ＩＥＥＥ８０２．１６ｍ共通制御チャネルにおけるポインタは、例えば、レガシー端末によって使用されないレガシーゾーンにおけるサブフレームを指す又は示すように設計及び／又は利用されてもよい。例えば、レガシーゾーン及び／又は新規ゾーンのパーティションが固定されている場合、リソース（例えば、サブフレーム）は、使用されない物理的リソースを最大限に活用するべく、フレーム毎に動的に割り当てられてもよい。
【００５８】
以下の説明では、個別に又は総称してオプションＩＩＩとして称される実施形態を含む。
【００５９】
図７には、本発明の一実施形態に係る、レガシープリアンブル７０２で多重化された新規プリアンブル７０４を有するスーパーフレーム７００が概略的に示されている。ある実施形態では、新規プリアンブル７０４は、レガシープリアンブル７０２を使用して、例えば、Ｍ個のフレーム毎に（例えば、Ｍは、スーパーフレーム７００内のフレームの個数）多重化されていてもよい。例えば、スーパーフレーム７００における第１フレーム７１０の第１ＯＦＤＭ符号は、プリアンブル７０４を含んでもよい、スーパーフレーム７００における次のＭ−１番目のフレーム７１０は、レガシープリアンブル７０２を含んでもよい。ある実装形態では、共通制御チャネル（例えば、ＤＬ  ＭＡＰ及びＵＬ  ＭＡＰ含む）及び／又はフレーム制御ヘッダ（ＦＣＨ）７０８及びＢＣＨ７０６送信はそれぞれ、例えば、スーパーフレーム７００及びフレーム７１０間隔において発生してもよい。
【００６０】
レガシープリアンブル７０２の（例えば、レガシー端末による）取得は、周期的なレガシープリアンブル７０２の受信において割り込みが発生した場合には、中断してもよい。新規プリアンブル７０４及びレガシープリアンブル７０２は、物理リソースを共有してもよく、例えば、実質的に同時に又は重複する時間又はスーパーフレーム７００に沿った重複する位置において、送信されてもよく、新規プリアンブル７０４をスーパーフレーム７００構造に組み込むのに、通常は更なる物理リソースを必要としない。また、ある実施形態では、新規プリアンブル７０４の位置は、周期的な数（１以上）のフレーム７１０内に固定されていてもよい。
【００６１】
ある実施形態では、新規プリアンブル７０４及びレガシープリアンブル７０２が、例えば、実質的に同じＯＦＤＭ符号において、符号分割多重化されている場合、レイヤ１のオーバーヘッドに対する実質的な影響は通常はない。このような実施形態において、複数のレガシープリアンブル７０２は、連続して送信されてもよく、また、例えば、別のレガシープリアンブル７０２は、新規プリアンブル７０４と（例えば、以下に説明する多重化方式に従って）重なってもよい。
【００６２】
ある実施形態では、新規プリアンブル７０４は、例えば、符号分割多重化（ＣＤＭ）方式を使用して、レガシープリアンブル７０２で多重化されてもよい。ＣＤＭ方式は、例えば、図７に示すように、例えば、実質的にＭ個のフレーム７１０毎に、符号分割多重化新規プリアンブル７０４及びレガシープリアンブル７０２を含んでもよい。
【００６３】
一実施形態において、新規プリアンブル７０４及びレガシープリアンブル７０２のシーケンスは、Ｍ個のフレーム毎に、重なって送信されてもよく（例えば、新規基地局又は端末によって）、例えば、次のような式に従って送信されてもよい。
Ｙｋ＝Ｕｋ＋ΧｋＵ'ｋ
ここで、Ｕｋ、Ｕ'ｋ、Χｋはそれぞれ、ｋ番目のプライマリ同期シーケンス、ｋ番目の新規同期シーケンス及びｋ番目の広がり関数（spreading function）を表している。その他の（例えば、線形）組み合わせを使用してもよい。
【００６４】
例えば、広がり関数は、新規同期シーケンスを実質的にカバーするロバスト広がり関数のセットを含んでもよい。その他の多重化方法又はこれらの組み合わせを使用してもよい。
【００６５】
一実施形態において、レガシープリアンブル７０２及び新規プリアンブル７０４は、例えば、固定された数のフレーム（例えば、Ｍ＝１，２，３…）毎に符号分割多重化されてもよい。このような実施形態において、レガシー端末では、Ｍ個のフレーム毎に、レガシープリアンブルのエネルギーの小さな劣化が起きる又は含む場合がある。新規端末は、レガシープリアンブル７０２を使用する又はレガシープリアンブル７０２に重なる新規プリアンブル７０４を検出及び抽出してもよい。本明細書に提示される、新規プリアンブルは、例えば、"新規プリアンブル"、"新規プリアンブル"、"新規同期チャネル"、"ＳＳＣＨ"及び"第２同期チャネル"と称される場合があり、また、新規システム、プロファイル及び／又は規格は、例えば、システム標準規格の"発展型バージョン"と称される場合がある。
【００６６】
図８には、本発明の一実施形態に係るレガシープリアンブル８０２で多重化された新規プリアンブル８０４を有するスーパーフレーム８００構造が概略的に示されており、ここでレガシープリアンブル８０２は、レガシー端末によって隠されている。
【００６７】
ある実施形態では、新規プリアンブル８０４とレガシープリアンブル８０２との重なりは、例えば、干渉レベル、又は、例えば、端末８２０に対する干渉（ＩｏＴ）値を増加させる場合がある。そこで、レガシープリアンブルを正確に検出するのに必要な最小の信号対干渉雑音比（ＳＩＮＲ）、又は、レガシー端末が許容できる最大ＩｏＴ（新規プリアンブルに対して使用可能な最大電力を意味する）の何れかを見つけることを目標とする。
【００６８】
本発明の一実施形態において、ｓ番目のサブキャリアで受信される信号、ｙｓは、例えば、以下に示す式で計算されてもよい。一実施形態において、各新規基地局又は中継局と関連付けられる新規プリアンブル８０４は、例えば、移動局が、ネットワークにおける異なる複数の基地局又は中継局を区別、検出及び／又は選択することを可能にするために、実質的に異なっていてもよい。ある実施形態では、新規プリアンブル８０４の受信電力８２２がＩｏＴ８２０に決定されている又はＩｏＴ８２０に正比例してもよいことから、例えば、最小ＳＩＮＲレベルによりレガシー端末が正確にレガシープリアンブル８０２を検出可能である範囲において、ＩｏＴ８２０を最大にすることが望ましいと考えられる。ある実施形態では、ＩｏＴ８２０値の最適化は、例えば、次のような式に従って実行されてもよい。
【数１】
2013510467.tif 000003
ｙｓ：ｓ番目のサブキャリアにおける受信信号
ｕｋ：ｋ番目のＢＳによって送信されるレガシープリアンブルシーケンス
Ｈｓ，ｋ：マルチパスチャネルインパルス応答
ｕ'ｋ：ｋ番目のＢＳによって送信される新規プリアンブルシーケンス
Χｋ：ｋ番目の広がり関数
ｗｓ：ｓ番目のサブキャリアにおける受信ノイズ
ＳＩＮＲｓ：レガシー端末の信号対干渉雑音比
2013510467.tif 000004
：新規プリアンブル及びレガシープリアンブルによる信号対干渉雑音比
【００６９】
ＩｏＴ値の最適化にその他の基準を使用してもよい。ある実施形態では、レガシープリアンブル７０２及び８０２が符号分割多重化される場合には、新規プリアンブル７０４及び８０４の送信はそれぞれ、送信されるシステムの物理層オーバーヘッドに実質的に影響を与えない又は最小限の影響で済む。
【００７０】
このような実施形態において、新規プリアンブル８０４をレガシープリアンブル８０２重ね合わせることは、新規プリアンブル７０４の受信電力８２２を制限することになる場合があり、例えば、隣接する基地局又は中継局から送信される新規プリアンブルからの更なる干渉によって、レガシー端末によるレガシープリアンブル８０２のシステム取得と干渉する又は不明瞭にする可能性がある。例えば、プリアンブルの電力において瞬間的な劣化を検出するのに最小限の感度を有するロバストプリアンブル検出アルゴリズム使用して、更なる干渉の効果を低減させてもよい。
【００７１】
例えば、オプションＩ、ＩＩ及びＩＩＩを参照して説明された実施形態を含むスーパーフレーム及び／又はそのパーティションの構造の実施形態に対する３つのオプションをそれぞれ、ＴＤＤ及びＦＤＤデュプレックス方式に適用してもよいことは、当業者であれば理解できる。新規ゾーン及びレガシーゾーンのサイズ及び分布、並びに、対応するＤＬ及びＵＬの送信及びサブフレームは、例えば、これに限定するわけではないが、新規及びレガシー端末の分布、新規端末及びレガシー端末に対するネットワーク負荷及び性能の最適化を含む因子に依存してもよい。
【００７２】
図１０には、本発明の一実施形態に係るＦＤＤデュプレックスモードにおけるフレーム１０００の構造が概略的に示されている。
【００７３】
フレーム１０００は、サブフレーム１０３０を含んでもよい。ある実装形態では、スーパーフレーム１０００は、レガシープリアンブル１００２、新規プリアンブル１００４、及び、整数個数のスーパーフレーム送信毎に送信されるＢＣＨ１００６を含んでもよい。一実施形態において、レガシープリアンブル１００２、新規プリアンブル１００４、及び／又は、ＢＣＨ１００６は、フレーム１０００の最初に位置してもよい。本発明の実施形態によれば、ＦＤＤデュプレックスモードでは、ＤＬ送信１０１６及びＵＬ送信１０１８は、例えば、異なる周波数（例えば、ＤＬ周波数Ｆ１  １０２４及びＵＬ周波数Ｆ２  １０２６）において、実質的に同時に発生してもよい。
【００７４】
図１１から図１３には、本発明の様々な実施形態に係るフレーム構造１１００、１１２０、１２００、１２２０、１３００及び１３２０、並びに、対応するサブフレーム１１１０、１１３０、１２１０、１２３０、１３１０及び１３３０が概略的に示されている。図１１には、ＴＤＤフレーム１１００が示されており、４：３のＤＬ／ＵＬ比を有し、有用なＯＦＤＭ符号長の４分の１のサイクリックプリフィックスを有する５、１０又は２０ＭＨｚチャネル帯域幅の場合のＦＤＤフレーム１１２０と共に示されている。ＴＤＤフレーム１１００は、７個のサブフレーム１１１０から構成されており、サブフレーム１１１０はそれぞれ、６個のＯＦＤＭ符号を含む。ＦＤＤフレーム１１２０は、共通性を最大にするべく、ＴＤＤフレームと同じ構成を有してもよく、６つのＯＦＤＭ符号をそれぞれ含む６つのサブフレーム１１１０と、７個のＯＦＤＭ符号を含む１つのサブフレーム１１３０とから構成されてもよい。一例として、１１４．３８６マイクロ秒（Ｔｂ）のＯＦＤＭ符号期間及びＴｂの４分の１であるＣＰ長、並びに、６個の符号サブフレーム１１１０の長さ及び７個の符号サブフレーム１１３０の長さはそれぞれ、０．６８５７ミリ秒及び０．８０ミリ秒である。この場合、送信から受信の間隔（ＴＴＧ）及び受信から送信の間隔（ＲＴＧ）はそれぞれ、１３９．９８８マイクロ秒及び６０マイクロ秒である。
【００７５】
図１２には、ＴＤＤフレーム１２００が示されており、３：２のＤＬ／ＵＬ比を有し、ＣＰが４分の１Ｔｂである７ＭＨｚチャネル帯域幅の場合のＦＤＤフレーム１２２０と共に示されている。ＴＤＤフレーム１２００は、それぞれ６個の符号を含む５個のサブフレーム１２１０で構成されてもよく、ＦＤＤフレーム１２２０は、共通性を最大にするべくＴＤＤフレームと同じ構成を有してもよく、６個の符号を含む４個のサブフレーム１２１０と７個の符号を含む１個のサブフレーム１２３０とから構成されてもよい。ＯＦＤＭ符号期間が１６０マイクロ秒であり、ＣＰ長が４分の１Ｔｂであると仮定すると、６つの符号からなるサブフレーム１２１０の長さ及び７つの符号からなるサブフレーム１２３０はそれぞれ、０．９６０ミリ秒及び１．１２０ミリ秒である。ＴＴＧ及びＲＴＧはそれぞれ、１４０マイクロ秒及び６０マイクロ秒である。
【００７６】
図１３には、ＴＤＤフレーム１３００が示されており、４：２のＤＬ／ＵＬ比を有し、ＣＰが４分の１Ｔｂである８．７５ＭＨｚチャネル帯域幅の場合のＦＤＤフレーム１３２０と共に示されている。ＴＤＤフレーム１３００は、それぞれ６個の符号を含む４個のサブフレーム１３１０及び７個の符号を含む２つのサブフレーム１３３０を有し、ＦＤＤフレーム１３２０は、６個の符号を含む３個のサブフレーム１３１０及び７個の符号を含む３個のサブフレーム１３３０で構成されてもよい。ＯＦＤＭ符号期間が１２８マイクロ秒であり、ＣＰ長が４分の１Ｔｂであると仮定すると、６つの符号からなるサブフレーム１３１０の長さ及び７つの符号からなるサブフレーム１３３０はそれぞれ、０．７６８ミリ秒及び０．８９６ミリ秒である。サブフレームにおけるＯＦＤＭ符号の数は、例えば、各ＯＦＤＭ符号の長さ及び／又はサイクリックプリフィックスの値と関係していていもよい。しかしながら、システムへの実装を簡単にするために、フレーム内の全てのサブフレームが、同じサイズを有し、同じ個数のＯＦＤＭ符号から構成されていることが望ましい。本発明の実施形態は、あらゆる好適なＯＦＤＭＡヌメロロジーを有するシステムで使用されてもよい。本明細書に記載する実施形態に従って、様々なパラメータ（例えば、デュプレックスモード、サイクリックプリフィックス値、ＯＦＤＭＡヌメロロジー等）を使用してもよいが、好適なバリエーションが、例えば、図１１から図１３に示されたようなバリエーションを使用してもよい。
【００７７】
図１４には、本発明の実施形態に係るＯＦＤＭＡパラメータの表が示されている。図１４には、ＣＰが４分の１の場合のパラメータが示されている。４分の１のＣＰ長は、（５、１０又は２０ＭＨｚの帯域幅の場合）２２．８５マイクロ秒に等しく、約５ｋｍのセルサイズに対応する。したがって、最大２２．８５マイクロ秒にまで広がる遅延を、軽減することができる。
【００７８】
図１５には、本発明の一実施形態に係る方法のフローチャートが示されている。
【００７９】
オペレーション１５００において、端末におけるプロセッサは、各フレームを、２つ以上のサブフレームへと分割してもよい。フレーム（例えば、図４を参照して説明したフレーム４１０又はその他のフレーム）は、システム標準プロファイルと後方互換性を有してもよく、例えば、システム標準規格（例えば、ＩＥＥＥ規格８０２．１６−２００９又はモバイルＷｉＭＡＸプロファイル）に従って規定されていてもよい。したがって、サブフレームが分割されたフレームと比較して、サブフレーム（例えば、図４を参照して説明したサブフレーム４２０）は、短くてもよく、その結果、より小さな周期で、早く処理及び送受信されてもよい。このようなサブフレーム構造による送信は、相対的に長い周期性を有する複数のフレームではなく、複数のサブフレームのスケールの周期性を有する無線通信を提供すると考えられる。
【００８０】
オペレーション１５０５において、送信機は、予め指定されるダウンリンク送信の間（例えば、図３を参照して説明された予め指定されるＤＬ送信３０６）に、１以上のサブフレームを送信してもよい。
【００８１】
オペレーション１５１０において、送信機は、予め指定されるアップリンク送信の間（例えば、図３を参照して説明された予め指定されるＵＬ送信３０８）に、１以上のサブフレームを送信してもよい。
【００８２】
オペレーション１５１５において、送信機は、レガシー端末と通信を行う、例えば、所定のレガシー送信期間又はゾーン（例えば、図６を参照して説明したレガシーゾーン６１２及び／又は６１６）の間にシステム標準プロファイルに従って動作するための、レガシープリアンブルを含む複数のサブフレームのうちの１つを送信してもよい。
【００８３】
オペレーション１５２０において、送信機は、例えば、所定の新規（例えば、非レガシー）送信期間又はゾーン（例えば、図６を参照して説明した新規ゾーン６１４及び／又は６１８）の間に、ＩＥＥＥ８０２．１６ｍ規格のような発展型又はより新しいバージョンのシステム標準プロファイルに従って動作する新規端末（例えば、非レガシー端末）と通信を行うために、新規プリアンブルを含む複数のサブフレームのうちの１つを送信してもよい。
【００８４】
様々な実施形態において、第１信号及び第２信号が、ＴＤＤデュプレックスモード又はＦＤＤデュプレックスモードで送信されてもよい。ある実施形態では、信号がＴＤＤデュプレックスモードで送信される場合、オペレーション１５０５及び１５１０は、実質的に異なる期間又はフレーム位置で実行されてもよく、第１信号及び第２信号が、別々に送信されてもよい。他の実施形態では、信号がＦＤＤデュプレックスモードで送信される場合、オペレーション１５０５及び１５１０は、実質的に重複する期間に実行されてもよく、第１信号及び第２信号が、実質的に区別される周波数及び／又はチャネル上で送信されてもよい。
【００８５】
ある実施形態では、サブフレームは更に、２個以上（例えば、６個）の、情報を有する多重化された及び／又はＯＦＤＭ符号に分割されてもよい。
【００８６】
ある実施形態では、第１信号及び第２信号は、システム標準プロファイルに従って動作するレガシー端末と通信を行うためのレガシープリアンブル、及び、第２システム標準及び／又はシステム標準の発展型バージョンに従って動作する新規（非レガシー）端末と通信を行うための新規プリアンブルを含んでもよい。一実施形態において、第１サブフレーム及び第２サブフレームの各々は、レガシー端末及び非レガシー端末の一方又は両方と通信を行うように予め指定されていてもよい。例えば、オペレーション１５１０において、２個以上のサブフレームのうちの１つは、レガシー端末及び非レガシー端末の両方と通信を行うように予め指定されてもよい。
【００８７】
ある実施形態では、レガシー端末及び非レガシー端末の両方と通信を行うように予め指定されていてもよいフレームの開始は、例えば、固定された個数のサブフレーム分オフセットされてもよい。
【００８８】
ある実施形態では、スーパーフレームが規定されてもよい。例えば、スーパーフレームは、連続して送信される２つ以上のフレーム（例えば、オペレーション１５００で説明されたフレーム）を含んでもよい。一実施形態において、新規プレアンアンブルは、各スーパーフレームの送信の間に実質的に１回送信されてもよい。一実施形態において、新規プリアンブルは、実質的に、各フレーム毎に１回送信されてもよい。
【００８９】
上記のオプションＩで説明した実施形態のように、レガシープリアンブル及び新規プリアンブルは、別個に、例えば、フレームの長さ方向に沿って実質的に固定された間隔を空けて、送信されてもよい。
【００９０】
一実施形態において、プロセスは、オペレーション１５００、１５０５及び１５１０を実行し、オペレーション１５１５及び１５２０を実行しなくてもよい。別の実施形態では、プロセスは、オペレーション１５００、１５１５及び１５２０を実行し、オペレーション１５０５及び１５１０を実行しなくてもよい。更なる別の実施形態では、プロセスは、オペレーション１５００、１５０５、１５１０、１５１５及び１５２０を実行してもよい。プロセスは、上記のオペレーションのその他のシーケンス、順序及び／又は順列を実行してもよい。
【００９１】
本発明が、限定された数の実施形態を参照して説明されたが、当業者であれば、本発明の数多くの変形及び変更及び別の用途が考えられることは明らかである。本発明の実施形態は、本明細書に記載されたオペレーションを実行するべく別の装置を含んでもよい。このような装置は、明細書で説明された要素と一体化されていてもよく、また、同じ目的を実行するための代替の構成要素を含んでもよい。添付の特許請求の範囲は、このような変更及び変形についても、本発明の精神に含まれることを意図していることは、当業者であれば理解できる。
【図１】
2013510467.tif 000005
【図２】
2013510467.tif 000006
【図３】
2013510467.tif 000007
【図４】
2013510467.tif 000008
【図５】
2013510467.tif 000009
【図６】
2013510467.tif 000010
【図６Ａ】
2013510467.tif 000011
【図６Ｂ】
2013510467.tif 000012
【図７】
2013510467.tif 000013
【図８】
2013510467.tif 000014
【図９】
2013510467.tif 000015
【図１０】
2013510467.tif 000016
【図１１】
2013510467.tif 000017
【図１２】
2013510467.tif 000018
【図１３】
2013510467.tif 000019
【図１４】
2013510467.tif 000020
【図１５】
2013510467.tif 000021
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
システム標準規格に従って規定される複数のフレームの各々を、複数のサブフレームに分割する段階と、
予め指定されるダウンリンク送信の間に、前記複数のサブフレームのうちの１つを送信する段階と、
予め指定されるアップリンク送信の間に、前記複数のサブフレームのうちの１つを送信する段階と
を備え、
サイクリックプリフィックス（ＣＰ）は、有用な符号長の４分の１である方法。
【請求項２】
前記分割されたフレームは、実装並びにソフトウェア及びハードウェア処理を簡易にするべく等しいサイズの複数のサブフレームを含む、又は、等しくないサイズの複数のサブフレームを含み、１フレーム当りのサブフレームの数及び１サブフレーム当りのＯＦＤＭ符号の数は、ＯＦＤＭヌメロロジー及び１フレーム当りの利用可能なＯＦＤＭ符号の数によって決定される請求項１に記載の方法。
【請求項３】
前記複数のサブフレームの各々を、情報を搬送する複数の符号に分割する段階を更に備える請求項１または２に記載の方法。
【請求項４】
前記情報を搬送する複数の符号は、複数の直交周波数分割多重符号を含む請求項３に記載の方法。
【請求項５】
前記複数の直交周波数分割多重符号の個数は、ほぼ６に等しい請求項４に記載の方法。
【請求項６】
予め指定されるダウンリンク送信及びアップリンク送信の間のサブフレームを、異なる期間に送信するのに、時分割複信モードを使用する段階を更に備える請求項１から５の何れか１項に記載の方法。
【請求項７】
異なる周波数上で、複数のサブフレームにおける信号を送信するのに、周波数分割複信モードを使用する段階を更に備える請求項１から６の何れか１項に記載の方法。
【請求項８】
システム標準規格に従って規定される複数のフレームの各々を、複数のサブフレームに分割する段階と、
予め指定されるダウンリンク送信（ＤＬ：ＢＳ−＞ＭＳ／ＲＳ）の間のサブフレーム及び予め指定されるアップリンク送信（ＵＬ：ＭＳ／ＲＳ−＞ＢＳ）の間のサブフレームを送信することを含む非中継送信のために、前記複数のサブフレームのうちの１以上を送信する段階と、
予め指定されるダウンリンク送信（ＤＬ：ＲＳ−＞ＭＳ）の間のサブフレーム及び予め指定されるアップリンク送信（ＵＬ：ＭＳ−＞ＲＳ）の間のサブフレームを送信することを含む中継送信のために、前記複数のサブフレームのうちの１以上を送信する段階と
を備え、
サイクリックプリフィックス（ＣＰ）は、有用な符号長の４分の１である方法。
【請求項９】
２ホップ中継送信をサポートする段階を更に供える請求項８に記載の方法。
【請求項１０】
２ホップ中継をサポートする段階は、最適化されたレイテンシを有する請求項９に記載の方法。
【請求項１１】
偶数番目のホップゾーンを、予め指定されるダウンリンク送信（ＤＬ：ＢＳ−＞ＭＳ、ＢＳ−＞奇数のＲＳ、偶数のＲＳ−＞奇数のＲＳ）の間及び予め指定されるアップリンク送信（ＵＬ：ＭＳ−＞ＢＳ、奇数のＲＳ−＞ＢＳ、奇数のＲＳ−＞偶数のＲＳ）の間に複数のゾーンに分割し、奇数番目のホップゾーンを、予め指定されるダウンリンク送信（ＤＬ：奇数のＲＳ−＞偶数のＲＳ、奇数のＲＳ−＞ＭＳ）の間及び予め指定されるアップリンク送信（ＵＬ：ＭＳ−＞奇数のＲＳ、偶数のＲＳ−＞奇数のＲＳ）の間に複数のゾーンに分割することにより、複数のフレームの各々を更に分割する段階を備える請求項８から１０の何れか１項に記載の方法。
【請求項１２】
マルチホップ中継送信を使用して送信する段階を更に備える請求項１１に記載の方法。
【請求項１３】
前記ＲＳが、プリアンブル、ブロードキャストチャネル及び制御チャネルを送信しない、透過型中継を使用する段階を更に備える請求項８から１２の何れか１項に記載の方法。
【請求項１４】
前記ＲＳが、プリアンブル、ブロードキャストチャネル及び制御チャネルを送信する、非透過型中継を使用する段階を更に備える請求項８から１３の何れか１項に記載の方法。
【請求項１５】
システム標準規格に従って規定された複数のフレームの各々を、複数のサブフレームへと分割するプロセッサと、
予め指定されるダウンリンク送信の間に前記複数のサブフレームのうちの１つを送信し、予め指定されるアップリンク送信の間に前記複数のサブフレームのうちの１つを送信する送信機と
を備え、
サイクリックプリフィックス（ＣＰ）は、有用な符号長の４分の１であるシステム。
【請求項１６】
前記プロセッサは、所定の目標値を下回るターンアラウンドタイムを達成するように選択される長さを有するように、前記複数のサブフレームを分割する請求項１５に記載のシステム。
【請求項１７】
前記プロセッサは、前記複数のサブフレームの各々を、情報を搬送する複数の符号に分割する請求項１５または１６に記載のシステム。
【請求項１８】
前記情報を搬送する複数の符号は、直交周波数分割多重符号を含む請求項１７に記載のシステム。
【請求項１９】
前記送信機は、時分割複信モードを使用して、異なる期間に送信を行う請求項１５から１８の何れか１項に記載のシステム。
【請求項２０】
前記送信機は、周波数分割複信モードを使用して、異なる周波数で送信を行う請求項１５から１８の何れか１項に記載のシステム。
【国際調査報告】
2013510467.tif 000022
2013510467.tif 000023